(57)【要約】【課題】Ｙシャツ等を着たままでも防護板のみを簡易に出し入れ可能に構成することで、優れた着用性と通気性を発揮させることができる防護チョッキを提供する。【解決手段】表地１と裏地２とにより扁平な袋状に形成されたチョッキ本体３と、このチョッキ本体３内に配置される防護板４と、チョッキ本体３の表地１側に設けられ、防護板４を出し入れするための縦長の出し入れ口５とを有する。縦長の出し入れ口５は、チョッキ本体３を着用した状態で、チョッキ本体３の上下に延びている。【選択図】  図１
2006125818.tif 000002
【特許請求の範囲】
【請求項１】
表地と裏地とにより扁平な袋状に形成されたチョッキ本体と、このチョッキ本体内に配置される防護板と、前記チョッキ本体の表地側に設けられ、前記防護板を出し入れするための縦長の出し入れ口とを有し、
前記縦長の出し入れ口は、チョッキ本体を着用した状態で、チョッキ本体の上下に延びていることを特徴とする防護チョッキ。
【請求項２】
前記縦長の出し入れ口は、チョッキ本体の幅方向中央に位置していることを特徴とする請求項１に記載の防護チョッキ。
【請求項３】
前記縦長の出し入れ口は、表地どうしの互いの合わせ部分により形成され、その重ね合わせ部分はチョッキ本体を正面から見て前後で重なっていることを特徴とする請求項１又は２に記載の防護チョッキ。
【請求項４】
前記チョッキ本体は、チョッキ本体を着用者の前面側に配置した状態で着用するための着用ベルトを備えていることを特徴とする請求項１乃至３のいずれかに記載の防護チョッキ。
【請求項５】
チョッキ本体と前記着用ベルトとの間には、チョッキ本体に対して着用ベルトを着脱自在に連結する連結具が設けられている、請求項４に記載の防護チョッキ。
【発明の詳細な説明】
【技術分野】
【０００１】  本発明は、着用することでナイフや包丁などの刃物、弾丸等から身体を護ることができる防護チョッキの技術に関する。
【背景技術】
【０００２】  最近、ナイフや包丁などの刃物による犯罪か多発傾向にあり、社会的に大きな問題となっている。【０００３】  また、特に最近は、ナイフを常時携帯している者が急増しつつあり、巡回中の警察官が不審人物と取っ組み合いになったとき、いつナイフを突き付けられてもおかしくない状況になってきているため、現場ではこのような場面に遭遇した場合でも刃物や弾丸等から身体を護る護身具が要望されてきた。【０００４】  そこで、このような事情から、従来、例えばチョッキのような衣服の少なくとも前側に刃物や弾丸を貫通し得ない強度の一枚の金属製の防護板を設けた防護チョッキが開発され、実用に供されている。【０００５】  この防護チョッキとしては、一枚の金属製防護板の他に、複数枚の金属板、プラスチック板を組合わせたものなども使用されているが、硬くて運動性に劣り、しかも通気性がなく夏期には蒸感があり、汗が出たときはベトツキがあり、着用性が良くないため、警察官等は常時着用することをあまり好まない場合が多い。そのため、特に、夏季の休憩時等においてはその防護チョッキを脱ぐことが多々あった。【０００６】  特許文献１には、運動性、着用性等を向上させる目的で、表地と裏地の間に配置した防護板の内側の位置に、棒状またはチューブ状のクッション材を配置した防護チョッキの技術か記載されている。また、特許文献２には、胸当て主体の表面に多数の小穴を設けた防護胸当てを有する防護チョッキの技術が記載されている。
【特許文献１】  特開平９−１０５００７号公報
【特許文献２】  実公昭５５−２４０９０号公報
【発明の開示】
【発明が解決しようとする課題】
【０００７】  しかしながら、このような従来の防護チョッキでは、確かに運動性、着用性、通気性等は多少向上したものの、金属板を着用していることには代わりがないため、依然として、着用性や通気性が良くない問題があった。そのため、着用者は、やはり夏季の休憩時等においてその防護チョッキを脱ぐことが多々あった。【０００８】  この防護チョッキは、通常、Ｙシャツ等の下に着用しているため、これを脱ぐためにはＹシャツまで脱がなければならす、しかも、着用にあたってはもう一度Ｙシャツを着直さなければならいという、大変面倒な作業を要する問題もあった。【０００９】  したがって、本発明は、Ｙシャツ等を着たままでも、防護板のみを簡易に出し入れ可能に構成することで、優れた着用性と通気性を発揮させることができる防護チョッキを提供することを目的とする。
【課題を解決するための手段】
【００１０】  本発明による防護チョッキは、表地と裏地とにより扁平な袋状に形成されたチョッキ本体と、このチョッキ本体内に配置される防護板と、チョッキ本体の表地側に設けられ、防護板を出し入れするための縦長の出し入れ口とを有し、その縦長の出し入れ口は、チョッキ本体を着用した状態で、チョッキ本体の上下に延びていることを特徴とする。【００１１】  本発明によれば、チョッキ本体の表地側に防護板を出し入れするための縦長の出し入れ口が設けられているので、防護板をチョッキ本体から自在に出し入れすることができる。また、縦長の出し入れ口となっているので、例えばＹシャツの下にこの防護チョッキを着ている場合には、胸部から腹部付近のＹシャツのボタンを数個外すだけで、そこから防護板を出し入れすることができる。特に、Ｙシャツのボタンを数個外せば、縦長開口のような形態となり、同じ縦長開口の形態としている縦長の出し入れ口と同様の形態となる。したがって、Ｙシャツ等を着たままでも、防護板のみを簡易に出し入れすることが可能となり、優れた着用性を発揮させることができる。防護板を取り出した状態ではチョッキ本体のみの着用となるので、通気性も発揮させることができる。【００１２】  本発明において、前記縦長の出し入れ口は、表地どうしの互いの合わせ部分により形成され、その重ね合わせ部分はチョッキ本体を正面から見て前後で重なっている構成とすることが好ましい。縦長の出し入れ口をこのように構成すれば、出し入れ口自体が正面から見えないので体裁が良く、しかも、互いの合わせ部分にボタンやフック、チャック等の仮止め手段を設けなくても、不自然に開口しないように配慮することができる。【００１３】  本発明において、前記チョッキ本体は、チョッキ本体を着用者の前面側に配置した状態で着用するための着用ベルトを備えている構成としても良い。防護チョッキは、着用者の背面側も通気性のある布やメッシュ入り布等で形成されている場合もあるが、この部分をたすきがけ形態の着用ベルトとして帯状にすることにより、着用性や背面側の通気性をさらに高めることができる。【００１４】  本発明において、チョッキ本体と前記着用ベルトとの間には、チョッキ本体に対して着用ベルトを着脱自在に連結する連結具が設けられている構成としてもよい。チョッキ本体と着用ベルトとの間に着脱自在な連結具を設けることで、着用性をさらに向上させることができる。
【発明を実施するための最良の形態】
【００１５】  図１は、本発明の好適な実施の形態を示す防護チョッキの正面図を示している。図２はチョッキ本体に収納する防護板の正面図である。図３はチョッキ本体の背面図である。図４は着用ベルトの正面図である。【００１６】  この防護チョッキＴは、表地１と裏地２とにより扁平な袋状に形成されたチョッキ本体３と、このチョッキ本体３内に配置される防護板４と、チョッキ本体３の表地側に設けられ、防護板４を出し入れするための縦長の出し入れ口５とを有し、その縦長の出し入れ口５は、チョッキ本体３を着用した状態で、チョッキ本体３の上下に延びている。【００１７】  この実施形態では、表地１にメッシュ状の布地が使用され、裏地２には通気性のある布地が使用されている。そして、表地１の周囲と裏地２の周囲が縫い合わされて、扁平な袋状のチョッキ本体１が形成されている。もちろん、表地１、裏地２共にメッシュ状の布地で形成しても良いし、両方とも通気性のある通常の布地で形成してもよい。【００１８】  チョッキ本体３内に配置される防護板４は、金属板や強化プラスチック板、あるいはそれらの合成板等、防刃性や防弾性を備えた板材で形成されていて、表面が布地や樹脂シート等の保護シートで被覆されている。【００１９】  防護板４を出し入れするための縦長の出し入れ口５は、表地１側に設けられている。この縦長の出し入れ口５は、図１において破線で示すように、表地１どうしの互いの合わせ部分５ａ、５ｂにより形成されている。この重ね合わせ部分５ａ、５ｂはチョッキ本体３を正面から見て前後で重なっている構成としている。この縦長の出し入れ口５をこのように構成したことによって、図中実線で示すように、出し入れ口自体が正面から見えないので体裁が良い。しかも、互いの合わせ部分５ａ、５ｂにボタンやフック、チャック等の仮止め手段を設けなくても、不自然に開口しないように配慮することができる。【００２０】  チョッキ本体３は、図４に示すように、チョッキ本体３を着用者の前面側に配置した状態で着用するための伸縮性のあるＸ形状の着用ベルト１０を備えている。この防護チョッキは、着用者の背面側も通気性のある布やメッシュ入り布等で形成されている場合もあるが、この部分をたすきがけ形態の着用ベルトとして帯状にすることにより、着用性や背面側の通気性をさらに高めることができるからである。この着用ベルト１０はＸ形状に限らず、Ｙ形状、Ｔ形状などでもよい。【００２１】  チョッキ本体３と着用ベルト１０との間には、チョッキ本体３に対して着用ベルト１０を着脱自在に連結するベルト側連結具１１、チョッキ側連結具１２からなる連結具が設けられている。ベルト側連結具１１は着用ベルト１０の各端部に合計４個取り付けられ、チョッキ側連結具１２はチョッキ本体３の上下左右に合計４個取り付けられている。この着用ベルトは初めからチョッキ本体３に一体に設けておいても良い。その場合連結具は不要となる。しかし、このようにチョッキ本体３と着用ベルト１０との間に着脱自在な連結具１１、１２を設けることで、着用性をさらに向上させることができる。また、チョッキ本体３のみを洗濯できる利点も得られる。さらに、複数枚のチョッキ本体と一つの着用ベルトとの組合せで販売するこ���もできる。【００２２】  この実施形態によれば、チョッキ本体３の表地１側に防護板４を出し入れするための縦長の出し入れ口５が設けられているので、防護板４をチョッキ本体３から自在に出し入れすることができる。また、縦長の出し入れ口５となっているので、例えばＹシャツの下にこの防護チョッキＴを着ている場合には、胸部から腹部付近のＹシャツのボタンを数個外すだけで、そこから防護板４を出し入れすることができる。【００２３】  特に、Ｙシャツのボタンを数個外せば、縦長開口のような形態となり、同じ縦長開口の形態としている縦長の出し入れ口と同様の形態となる。したがって、Ｙシャツ等を着たままでも、防護板４のみを簡易に出し入れすることが可能となり、優れた着用性を発揮させることができる。防護板４を取り出した状態ではチョッキ本体３のみの着用となるので、通気性も発揮させることができる。【００２４】  なお、縦長の出し入れ口５は、チョッキ本体３の中央に設けた例を示したが、左右どちらかに多少偏った位置に設ける構成としても良い。また、ベルト側連結具１１、チョッキ側連結具１２からなる連結具としては、差し込み型のワンタッチ連結具や他の操作性に優れた連結具を用いても良い。
【図面の簡単な説明】
【００２５】
【図１】本発明の実施の形態を示す防護チョッキの正面図。
【図２】本発明の実施の形態を示す防護チョッキの防護板の正面図。
【図３】本発明の実施の形態を示す防護チョッキの背面図。
【図４】本発明の実施の形態を示す防護チョッキの着用ベルトの正面図。
【符号の説明】
【００２６】１  表地
２  裏地
３  チョッキ本体
４  防護板
５  縦長の出し入れ口
５ａ、５ｂ  合わせ部分
１０  着用ベルト
１１  ベルト側連結具
１２  チョッキ側連結具
【図１】
2006125818.tif 000003
【図２】
2006125818.tif 000004
【図３】
2006125818.tif 000005
【図４】
2006125818.tif 000006